(57)【特許請求の範囲】
【請求項１】
上シェル、中シェル及び下シェルを重ね合わせることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室内に回転自在に収納されると共に上記中シェル及び上記下シェル又は上記上シェルに設けられた開口部から一部が露出されるディスク状記録媒体と、
上記開口部を開閉可能として上記中シェルに取り付けられた一対のシャッタ部材と、を備え、
上記中シェルと上記下シェル又は上記上シェルとの相対回転によって上記一対のシャッタ部材に上記開口部の開閉動作を行わせるようにしたディスクカートリッジであって、
上記上シェル及び上記下シェルの少なくとも一方には上記中シェルを回転させるための操作窓を設けると共に、当該操作窓の外側を通過するシャッタ開閉手段により係合されて当該中シェルを所定位置まで回転動作させる被操作部を当該中シェルの外周面に設け、
上記シャッタ開閉手段を有するディスク記録及び／又は再生装置への着脱時に、上記シャッタ開閉手段によって上記開口部を開閉動作させるようにした
ことを特徴とするディスクカートリッジ。
【請求項２】
上記一対のシャッタ部材は２枚の同一形状の板体の組み合わせからなり、
この一対のシャッタ部材が上記開口部を閉鎖するように上記中シェルの一面側に対称に配置され、それぞれのシャッタ部材の一側部を上記中シェルに回転自在に支持すると共に他側部を上記下シェル又は上記上シェルに摺動可能に係合し、中シェルと下シェル又は上シェルとの相対回転によって一対のシャッタ部材に上記開口部の開閉動作を行わせるようにした
ことを特徴とする請求項１記載のディスクカートリッジ。
【請求項３】
上記シャッタ開閉手段は、上記操作窓の外側を往復移動されるラック部と、このラック部の前側に配置された初期動作用凸部とを有し、
上記被操作部は、上記ラック部に着脱可能に噛合されるギア部と、このギア部の円周方向一側に配置され且つ上記初期動作用凸部が着脱可能に係合される初期動作用凹部とを有し、
上記初期動作用凸部を上記初期動作用凹部に係合させて上記中シェルを一定角度回転させた後、上記ラック部を上記ギア部に噛合させることにより上記中シェルを所定位置まで回転させるようにした
ことを特徴とする請求項１記載のディスクカートリッジ。
【請求項４】
上記シャッタ開閉手段の上記初期動作用凸部と上記ラック部との間に所定の間隔を設けると共に、上記被操作部に、上記初期動作用凸部が上記初期動作用凹部に係合するまでの間当該初期動作用凸部に滑りを生じさせる滑り部を設けた
ことを特徴とする請求項３記載のディスクカートリッジ。
【請求項５】
上記シャッタ開閉手段に、上記ラック部の後側に配置されたストッパ用凸部を設けると共に、上記被操作部に、上記ギア部の円周方向他側に配置され且つ上記ストッパ用凸部が着脱可能に係合されるセット位置用凹部を設け、
上記ラック部の歯の高さよりも上記ストッパ用凸部の高さを大きく形成し、上記ストッパ用凸部を上記セット位置用凹部に係合することにより上記中シェルの回動を防止するようにした
ことを特徴とする請求項４記載のディスクカートリッジ。
【発明の詳細な説明】
【０００１】
【発明の属する技術分野】
本発明は、光ディスクや光磁気ディスク、磁気ディスク等のディスク状記録媒体がカートリッジ筐体のディスク収納室内に回転自在に収納されたディスクカートリッジに関し、特に、上シェル又は下シェルとの間でディスク収納室を形成する中シェルを回転させることにより一対のシャッタ部材を開閉動作させて開口部を開閉し、その開放時に開口部からディスク状記録媒体の一部を露出させるようにしたディスクカートリッジに関するものである。
【０００２】
【従来の技術】
従来、一般に、音声、映像或いはコンピュータのデータ等の情報の記録及び／又は再生が可能なディスク状記録媒体がカートリッジ筐体内に回転自在に収納されたディスクカートリッジとしては、例えば、図４２に示すような構成のものが知られている。このディスクカートリッジ１は、コンピュータのデータ等の情報を使用者が後から記録書き込みできる追記形光磁気ディスク４を内蔵しているディスクカートリッジであり、図４２に示すような外観形状を有している。
【０００３】
このディスクカートリッジ１は、一対の上シェル２ａ及び下シェル２ｂによって構成されるカートリッジ筐体２と、このカートリッジ筐体２のディスク収納室３内に回転自在に収納された光磁気ディスク４等を備えている。カートリッジ筐体２の上下両面には、中央部から一辺に向かって延びる上下の開口部５が設けられている。この開口部５は、その一辺に沿ってスライド可能とされたシャッタ部材６によって開閉可能とされている。このシャッタ部材６は、図に現れないスプリングによって開口部５を閉じる方向へ常時付勢されている。６ａは、シャッタ部材６の先端部の抜け出しを防止するための押え部材である。
【０００４】
また、光磁気ディスク４の中央部には、金属によって円盤状に形成されたセンタハブ７が設けられている。このセンタハブ７は、開口部５の内側端部に対応された位置、即ち、カートリッジ筐体２の略中央部に配置されている。このセンタハブ７には、情報記録再生装置の本体側に設けられるターンテーブルが装着され、そのターンテーブルによるチャッキングにより固定されて光磁気ディスク４が所定速度（例えば、線速度一定）で回転駆動される。この際、開口部５内にヘッド部が挿入される光磁気ピックアップ装置の働きにより、光磁気ディスク４に対する情報信号の記録又は再生が行われる。
【０００５】
【発明が解決しようとする課題】
しかしながら、このような構成を有する従来のディスクカートリッジにおいては、開口部５を開閉するシャッタ部材６が断面コ字状をなすように形成されており、このシャッタ部材６をカートリッジ筐体２の一辺に嵌め合わせ、その一辺に沿ってシャッタ部材６をスライドさせて開口部５を開閉する構造となっていた。そのため、カートリッジ筐体２とシャッタ部材６との間に大きな隙間ができてしまい、微小なゴミや埃等の侵入を防ぐことができないという課題があった。
【０００６】
近年、光ディスクの大容量化・高記録密度化の流れの中、記録パターンの狭ピッチ化、線密度の増大化が進んでいる。光ディスク或いは光磁気ディスクは、記録面上にゴミや埃が侵入することによって読取り或いは書込みビームが遮蔽されたり、情報記録面への傷つけによって正常な情報の読み書きができなくなってしまう場合がある。そのため、従来のディスクカートリッジでは、図４２に示すように、断面略コ字状に形成されたシャッタ部材６をカートリッジ筐体２の一辺にスライド可能に装着し、その一辺に沿って移動させることにより開口部５を開閉して、光ディスク等の情報記録面の保護を図っている。
【０００７】
ところが、更なる大容量化・高記録密度化により、従来では影響の少なかった微小なゴミや埃であってもデータの読み書きに対する影響度が増加し、上述したような略コ字状をなすシャッタ部材では、微小なサイズのゴミや埃の侵入を防ぐことができなかった。この場合、カートリッジ筐体２内に侵入した微小なゴミが光磁気ディスク４の情報記録面に付着すると、このゴミによって情報記録面が傷つけられ、正常な情報の読み書きができなくなってしまうという課題があった。
【０００８】
また、上述した従来のディスクカートリッジ１においては、使用者の手に触れ易いところにシャッタ部材６があるため、使用者が誤ってシャッタ部材６をスライドさせて開口部５を開けてしまうおそれがあった。しかも、シャッタ部材６が図に現れないスプリングによって開口部５を閉じる方向へ常時付勢されているため、構成部品としてのスプリングが必要とされるばかりでなく、そのスプリングの組立作業に手間が掛かり、組立性及び生産性が悪いという課題もあった。
【０００９】
本発明は、このような従来のディスクカートリッジの課題に鑑みてなされたものであり、スプリングを用いることなく上下シェルで中シェルを回転自在に保持して中シェルの回転により一対のシャッタ部材を開閉動作させると共に、一対のシャッタ部材が完全に閉じた状態においては勿論のこと、不完全に閉じた状態や完全に開いた状態においても記録再生装置に装着することができ、その装着時には開口部が確実に開き、また、記録再生装置から排出する時には開口部が一対のシャッタ部材によって確実に閉じられ、防塵性、気密性の高いディスクカートリッジを提供し、上述したような従来の課題を解決することを目的としている。
【００１０】
【課題を解決するための手段】
上述したような課題等を解決し、上記目的を達成するために、本出願の請求項１記載のディスクカートリッジは、上シェル、中シェル及び下シェルを重ね合わせることによって上シェル及び中シェル内又は中シェル及び下シェル内にディスク収納室が形成されると共に中シェルが上シェル及び下シェルによって回転自在に支持されたカートリッジ筐体と、ディスク収納室内に回転自在に収納されると共に中シェル及び下シェル又は上シェルに設けられた開口部から一部が露出されるディスク状記録媒体と、開口部を開閉可能として中シェルに取り付けられた一対のシャッタ部材と、を備え、中シェルと下シェル又は上シェルとの相対回転によって一対のシャッタ部材に開口部の開閉動作を行わせるようにしたディスクカートリッジであって、上シェル及び下シェルの少なくとも一方には中シェルを回転させるための操作窓を設けると共に、この操作窓の外側を通過するシャッタ開閉手段により係合されて中シェルを所定位置まで回転動作させる被操作部を中シェルの外周面に設け、シャッタ開閉手段を有するディスク記録及び／又は再生装置への着脱時に、シャッタ開閉手段によって開口部を開閉動作させるようにしたことを特徴としている。
【００１１】
本出願の請求項２記載のディスクカートリッジは、一対のシャッタ部材は２枚の同一形状の板体の組み合わせからなり、この一対のシャッタ部材が開口部を閉鎖するように中シェルの一面側に対称に配置され、それぞれのシャッタ部材の一側部を中シェルに回転自在に支持すると共に他側部を下シェル又は上シェルに摺動可能に係合し、中シェルと下シェル又は上シェルとの相対回転によって一対のシャッタ部材に開口部の開閉動作を行わせるようにしたことを特徴としている。
【００１２】
本出願の請求項３記載のディスクカートリッジは、シャッタ開閉手段は、操作窓の外側を往復移動されるラック部と、このラック部の前側に配置された初期動作用凸部とを有し、被操作部は、ラック部に着脱可能に噛合されるギア部と、このギア部の円周方向一側に配置され且つ初期動作用凸部が着脱可能に係合される初期動作用凹部とを有し、初期動作用凸部を初期動作用凹部に係合させて中シェルを一定角度回転させた後、ラック部をギア部に噛合させることにより中シェルを所定位置まで回転させるようにしたことを特徴としている。
【００１３】
本出願の請求項４記載のディスクカートリッジは、シャッタ開閉手段の初期動作用凸部とラック部との間に所定の間隔を設けると共に、被操作部に、初期動作用凸部が初期動作用凹部に係合するまでの間初期動作用凸部に滑りを生じさせる滑り部を設けたことを特徴としている。
【００１４】
本出願の請求項５記載のディスクカートリッジは、シャッタ開閉手段に、ラック部の後側に配置されたストッパ用凸部を設けると共に、被操作部に、ギア部の円周方向他側に配置され且つストッパ用凸部が着脱可能に係合されるセット位置用凹部を設け、ラック部の歯の高さよりもストッパ用凸部の高さを大きく形成し、ストッパ用凸部をセット位置用凹部に係合することにより中シェルの回転を防止するようにしたことを特徴としている。
【００１５】
上述のように構成したことにより、本出願の請求項１記載のディスクカートリッジでは、ディスク収納室を有するカートリッジ筐体とディスク状記録媒体と一対のシャッタ部材とを備えたディスクカートリッジにおいて、上シェル及び下シェルの少なくとも一方に設けられた操作窓には中シェルの外周面に設けられた被操作部が臨み、この操作窓の外側をシャッタ開閉手段が通過することにより、このシャッタ開閉手段に被操作部が係合されて中シェルが所定位置まで回転される。そのため、一対のシャッタ部材とカートリッジ筐体間の隙間を小さくして微小なゴミや埃等がディスク収納室内に入り難くすることができ、カートリッジ筐体の防塵効果を高めることができると共に、一対のシャッタ部材による開口部の開閉状態のいかんに関係なく、記録再生装置に装着する時には開口部が確実に開放され、また、記録再生装置から排出する時には開口部が確実に閉鎖された状態で排出されるディスクカートリッジを提供することができる。
【００１６】
本出願の請求項２記載のディスクカートリッジでは、２枚の同一形状の板体を開口部を閉鎖するように配置し、その一側部を中シェルに回転自在に支持し且つ他側部を下シェル又は上シェルに摺動可能に係合して、中シェルと下シェル又は上シェルとの相対回転によって一対のシャッタ部材を開閉動作させる構成とすることにより、シャッタ部材の面積を小さくしつつ広い範囲の開口部を開閉することができ、開口部の開閉効率を高めながらディスクカートリッジ全体の小型化、薄型化を図ることができると共に、一対のシャッタ部材をスムース且つ確実に開閉動作させることができる。
【００１７】
本出願の請求項３記載のディスクカートリッジでは、シャッタ開閉手段がラック部と初期動作用凸部とを有し、中シェルの被操作部がギア部と初期動作用凹部とを有することにより、シャッタ開閉手段を操作窓の外側に通過させると、初期動作用凸部が初期動作用凹部に係合して中シェルが一定角度回転した後、ラック部がギア部に噛合して中シェルが所定位置まで回転される。そのため、中シェルを所定位置まで確実に回転動作させることができると共に、その中シェルの回転により一対のシャッタ部材がスムースに開閉動作され、開口部を確実に開閉させることができる。
【００１８】
本出願の請求項４記載のディスクカートリッジでは、シャッタ開閉手段の初期動作用凸部とラック部との間に所定の間隔を設け、被操作部に滑り部を設けることにより、ラック部をギア部と同期させて中シェルを所定位置まで確実に回転動作させることができ、一対のシャッタ部材の開閉動作を確実なものとして開口部の開閉操作を確実に行うことができる。
【００１９】
本出願の請求項５記載のディスクカートリッジでは、シャッタ開閉手段のラック部の後側にストッパ用凸部を設けると共に、被操作部のギア部の円周方向他側にセット位置用凹部を設け、ストッパ用凸部の高さをラック部の歯の高さよりも高くしたため、このストッパ用凸部がセット位置用凹部に係合することにより、中シェルを所定位置においてロックさせたように固定することができ、振動等によって中シェルが回転させるのを確実に防止することができる。
【００２０】
【発明の実施の形態】
以下、本発明の実施の形態を添付図面を参照して説明する。図１〜図４１は、本発明のディスクカートリッジの実施の例を示すものである。即ち、図１はディスクカートリッジの第１の実施例を下シェル側から見た分解斜視図、図２は同じく下シェル側から見たシャッタ閉状態の斜視図、図３は同じくシャッタ開状態の斜視図、図４は上シェルの底面図、図５は中シェルの底面図、図６は下シェルの平面図、図７は中シェルと一対のシャッタ部材の開状態の斜視図、図８は図７の一対のシャッタ部材の閉状態の斜視図、図９は下シェルと一対のシャッタ部材の開状態の斜視図、図１０は図９の一対のシャッタ部材の閉状態の斜視図、図１１は同じく図１０の平面図、図１２は中央部を断面した説明図、図１３Ａ〜Ｃは中シェルの回転と昇降動作との関係をそれぞれ示す説明図、図１４Ａ及びＢは中シェルの回転による昇降動作に基づくシャッタ部材の密着・開放状態をそれぞれ示す説明図である。
【００２１】
図１５はディスクカートリッジの第２の実施例を下シェル側から見た分解斜視図、図１６は同じく下シェル側から見たシャッタ閉状態の斜視図、図１７は同じくシャッタ開状態の斜視図、図１８は本発明のディスクカートリッジを使用可能なディスク記録再生装置の回路構成の一実施例を示すブロック説明図、図１９はディスク記録再生装置に対する本発明のディスクカートリッジの挿入前の状態を示す斜視図、図２０は図１９に示すシャッタ開閉手段の斜視図、図２１はディスク記録再生装置に対する本発明のディスクカートリッジの挿入中の状態を示す斜視図である。
【００２２】
更に、図２２〜図４１は、シャッタ開閉手段の進退動作と中シェルの被操作部の回動との動作関係を、シャッタの開閉状態に応じてそれぞれ示す動作説明図である。即ち、図２２〜図２６はシャッタが完全に閉じた状態におけるシャッタ開閉手段と被操作部との係合状態を示す動作説明図、図２７〜図３１はシャッタが不完全に閉じた状態におけるシャッタ開閉手段と被操作部との係合状態を示す動作説明図、図３２〜図３６はシャッタが完全に開いた状態におけるシャッタ開閉手段と被操作部との係合状態を示す動作説明図、図３７〜図４１はディスクカートリッジの排出時の状態を示す動作説明図である。
【００２３】
第１の実施例として示すディスクカートリッジ１０は、ディスク状記録媒体として、オーディオ情報としての音楽信号やビデオ情報としての映像及び音楽信号等の各種の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスク１１を収納したものである。しかしながら、ディスク状記録媒体としては、これに限定されるものではなく、薄い円盤の表面に磁性薄膜層を形成して特定位置の磁化状態により情報を記憶するようにした磁気ディスク、同様に形成した磁性薄膜層に光ヘッドと磁気ヘッドを使用して情報を書き込み又は読み出すようにした光磁気ディスクその他のディスク状をなす記憶媒体を適用することができるものである。
【００２４】
このディスクカートリッジ１０は、図１〜図３に示すように、一対の上シェル１３、中シェル１４及び下シェル１５を重ね合せることによって形成されるカートリッジ筐体１２と、このカートリッジ筐体１２内に形成されたディスク収納室１６内に回転自在に収納される光ディスク１１と、中シェル１４及び下シェル１５に形成された開口部２５，４２を開閉する一対のシャッタ部材１８ａ，１８ｂ等を備えて構成されている。このディスクカートリッジ１０は、光ディスク１１を水平にして使用する場合には、通常上シェル１３が上側に配されるが、図１においては説明上の便宜のために上下が逆とされており、上シェル１３を下側にした状態で書き表されている。
【００２５】
上シェル１３は、図１及び図４に示すように、正面側が円弧形状とされた略四角形をなす薄い皿状の部材からなる。この上シェル１３の下面（図１において表面として現れている面）の中央部には、中シェル１４の厚み方向の略上半分が回動可能に嵌合される円形の上側凹陥部１９ａが設けられている。この上側凹陥部１９ａを設けることによって上シェル１３の外周縁には、前縁部１３ａと左右の側縁部１３ｂ，１３ｃと後縁部１３ｄとが設けられている。この上シェル１３の前縁部１３ａ及び後縁部１３ｄの略中央部には、下シェル１５との位置合わせを行うための位置決め用凹部２１ａ及び２１ｂが設けられている。
【００２６】
また、上シェル１３の上側凹陥部１９ａの外周縁には、周方向に所定長さで連続する円弧状のカム溝２２が等間隔に３箇所に設けられている。そして、カム溝２２を３箇所に設けることにより、隣り合うカム溝２２，２２間の３箇所に所定長さのリフトアップ部２３（図４において格子縞状にハッチングした部分）が設けられている。この３箇所のカム溝２２には、中シェル１４に設けられたカム部４６が摺動可能に嵌合される。
【００２７】
この上シェル１３の下面に下シェル１５が重ね合わされる。下シェル１５は、図１及び図６に示すように、その外観形状は上シェル１３のそれと略同様とされており、正面側が円弧形状とされた略四角形をなす薄い皿状の部材からなる。この下シェル１５の平面（図１において裏面として隠れている面）の中央部には、中シェル１４の厚み方向の略下半分が回動可能に嵌合される円形の下側凹陥部１９ｂが設けられている。この下側凹陥部１９ｂを設けることによって下シェル１５の外周縁には、前縁部１５ａと左右の側縁部１５ｂ，１５ｃと後縁部１５ｄとが設けられている。この下シェル１５の前縁部１５ａ及び後縁部１５ｄの略中央部には、上シェル１３との位置合わせを行うための位置決め用凸部２４ａ及び２４ｂが設けられている。
【００２８】
この下シェル１５の凸部２４ａ，２４ｂを上シェル１３の凹部２１ａ，２１ｂにそれぞれ係合させることにより、上下シェル１３，１５が互いに位置合わせされて所定の状態で重ね合わされる。この上下シェル１３，１５内に形成された上下の凹陥部１９ａ，１９ｂからなる円形の空間部内に中シェル１４が回転自在に収納されている。この下シェル１５の中央部には、前後方向に延在された開口部２５が設けられている。この開口部２５は、ディスク回転駆動装置のターンテーブルと光学ピックアップ装置の光学ヘッドを光ディスク１１に臨ませるためのもので、これらが自由に出入りできる広さに設定されている。
【００２９】
即ち、下シェル１５の開口部２５は、ターンテーブルが出し入れされる中央部に設定されたテーブル用開口部２５ａと、このテーブル用開口部２５ａの前後方向両側に延在されたヘッド用開口部２５ｂとを有している。この開口部２５の形状は、例えば、ヘッド用開口部２５ｂにおけるテーブル用開口部２５ａの両側に１個ずつ合計２個の光学ヘッドを同時に出し入れできるようにするために考え出されたものである。ヘッド用開口部２５ｂの前後方向両端の内面には、後述するシャッタ部材１８ａ，１８ｂとの間の隙間を塞ぐための遮蔽部２６ａ，２６ｂがそれぞれ設けられている。更に、下側凹陥部１９ｂ内には、テーブル用開口部２５ａを中心に対称となるよう一対の操作凸部２７ａ，２７ｂが設けられている。
【００３０】
このような構成を有する上シェル１３と下シェル１５とによって形成される上下の凹陥部１９ａ，１９ｂ内に中シェル１４が収納され、この中シェル１４と上シェル１３とによって円形の空間部からなるディスク収納室１６が形成されている。このディスク収納室１６内に、光ディスク１１が半径方向外側及び厚み方向に所定の隙間を持たせて収納されている。この光ディスク１１は、中央部にセンタ穴１１ａが設けられた厚みの薄い円板状の記録部材からなる。
【００３１】
この光ディスク１１の中央部の一面には、センタ穴１１ａを覆うようにセンタハブ２８が接着剤等の固着手段によって固定されている。このセンタハブ２８は、マグネットによって吸着される鉄板等の磁性材料によって形成されている。このセンタハブ２８にはディスク記録再生装置に内蔵されるディスク回転駆動装置のターンテーブルがセンタ穴１１ａを介して嵌合される。このターンテーブルに設けられたマグネットの磁力によってセンタハブ２８が吸着される。これにより、光ディスク１１がターンテーブルにチャッキングされて回転方向に一体化され、このターンテーブルが取り付けられるスピンドルモータの駆動により、所定速度（例えば、線速度一定）で回転される。
【００３２】
この光ディスク１１の一面には、ディスク記録再生装置に内蔵される光学ピックアップ装置の光学ヘッドが対向される情報記録の可能な情報記録領域２９ａと、情報記録の不可能な非記録領域２９ｂとが設けられている。非記録領域２９ｂは、光ディスク１１の内側であるセンタハブ２８の外側に所定幅で設けられた内側非記録領域２９ｂと、光ディスク１１の外周縁に所定幅で設けられた外側非記録領域２９ｂとからなる。この内外の非記録領域２９ｂ，２９ｂ間に情報記録領域２９ａが設けられている。この光ディスク１１の基板の材質としては、例えば、ポリカーボネート（ＰＣ）やポリオレフィン等の合成樹脂が好適であるが、他の合成樹脂を用いることができることは勿論のこと、合成樹脂以外であっても情報記録媒体として用いられるガラス材やアルミニウム合金等の各種の材料を用いることができる。
【００３３】
また、上下シェル１３，１５の一方の側縁部１３ｂ，１５ｂの略中央部には、中シェル１４の外周面の一部を露出させるための開口窓３０が設けられている。この開口窓３０は、上シェル１３の接合部に設けた上側切欠き部３０ａと、下シェル１５の接合部に設けた下側切欠き部３０ｂとによって形成されている。更に、上下シェル１３，１５の一方の側縁部１３ｂ，１５ｂには、その接合面に沿って前後方向に延びるガイド溝３１が設けられている。このガイド溝３１は、後述するシャッタ開閉手段が挿入されるもので、ディスクカートリッジ１０をディスク記録再生装置に装着する際の誤挿入防止等の役割を併せ持つものである。このガイド溝３１には開口窓３０が連通されている。
【００３４】
更に、上下シェル１３，１５の一方の側縁部１３ｂ，１５ｂの前隅部には、ロック部材３２が回動可能に収納されるロック収納部３３が設けられている。このロック収納部３３は凹陥部１９ａ，１９ｂに連通されていると共に、一方の側縁部１３ｂ，１５ｂに設けられた開口穴３４を介してガイド溝３１に連通されている。更に、上シェル１３のロック収納部３３には、ロック部材３２を回動自在に支持する支持軸３５が、下シェル１５側へ突出するように設けられている。
【００３５】
このロック部材３２は、図１に示すように、支持軸３５に回動自在に嵌合されて平面方向へ揺動可能とされたレバー状の部材によって形成されている。このロック部材３２の長手方向の一端には突起状のストッパ部３６が設けられ、長手方向の他端には同じく突起状の入力部３７が設けられている。更に、ロック部材３２には、ストッパ部３６と対向するよう同方向に突出されたバネ片３８が一体に設けられている。
【００３６】
このような構成を有するロック部材３２は、ストッパ部３６を凹陥部１９ａ，１９ｂ側に向けた状態で支持軸３５に嵌合され、バネ片３８が前縁部１３ａ，１５ａの内面に当接される。このバネ片３８のバネ力によってストッパ部３６が凹陥部１９ａ，１９ｂ側に付勢され、これの反作用として入力部３７が開口穴３４を内側から貫通してガイド溝３１内に突出される。その結果、ストッパ部３６が中シェル１４の後述する被操作部４３のうち、後滑り部４３ｂに設けられるセット位置用凹部４４ｂに係合される。これにより、中シェル１４がロック部材３２によりロックされ、その回転が防止される。
【００３７】
このような上シェル１３及び下シェル１５の上下凹陥部１９ａ，１９ｂ内に回転可能に嵌合される中シェル１４は、図１及び図５等に示すような構成を備えている。この中シェル１４は、円盤状の薄い板材からなる平面部４０と、この平面部４０の外周縁に連続して設けられたリング部４１とを有している。中シェル１４の平面部４０は、略半円形に形成された一対の半円片４０ａ，４０ａからなり、両半円片４０ａ，４０ａの弦辺間に隙間をあけることによって開口部４２が形成されている。この開口部４２は、下シェル１５の開口部２５と形状及び大きさが略等しく形成されている。
【００３８】
即ち、開口部４２も開口部２５と同様に、平面部４０の中央部に設定され且つターンテーブルが出し入れされるテーブル用開口部４２ａと、このテーブル用開口部４２ａの直径方向両側に設定され且つ光学ヘッドが１個ずつ対向されるヘッド用開口部４２ｂ，４２ｂとを有している。そして、テーブル用開口部４２ａの周囲を囲む平面部４０の内周縁には、自由状態において光ディスク１１の内側非記録領域２９ｂを下方から支える支持縁部４０ｂが設けられている。
【００３９】
また、中シェル１４のリング部４１の外周面の一部には、シャッタ開閉手段により係合されてその往復動作により中シェル１４を所定の角度範囲内において回動させる被操作部４３が設けられている。この被操作部４３は、図５及び図８等に示すように、周方向の所定範囲（略３０°程度）に渡って多数の歯が設けられたギア部４１ａと、このギア部４１ａの一側に連続して設けられた前滑り部４３ａと、ギア部４１ａの他側に連続して設けられた後滑り部４３ｂとを有している。
【００４０】
被操作部４３の前滑り部４３ａの外周面はギア部４１ａの歯先円と略同じ高さに設定され、また、後滑り部４３ｂの外周面はギア部４１ａの歯底円と略同じ高さに設定されている。そして、前滑り部４３ａの周方向の略中央部には断面円弧状の切欠きからなる初期動作用凹部４４ａが設けられ、後滑り部４３ｂの周方向の略中央部には断面台形状の切欠きからなるセット位置用凹部４４ｂが設けられている。この被操作部４３のギア部４１ａ及び前後の滑り部４３ａ，４３ｂがリング部４１の外周面から外側へ突出するように設けられているため、上シェル１３及び下シェル１５の対応する部分には、各滑り部４３ａ，４３ｂとの接触を回避してその通過を許容するための逃げ溝４５ａ，４５ｂがそれぞれ設けられている。
【００４１】
更に、下シェル１５の逃げ溝４５ｂの両端部には、各滑り部４３ａ，４３ｂの移動軌跡上に突出された前後の停止部４５ｃ，４５ｄが設けられている。この前停止部４５ｃに後滑り部４３ｂの後端縁が当接することにより、中シェル１４が下シェル１５に対して最大角度回転変位して開口部２５と開口部４２とが最も大きくずれた状態となる。一方、後停止部４５ｄに前滑り部４３ａの前端縁が当接することにより、中シェル１４が初期位置に戻り、開口部２５と開口部４２とが重なり合って大きく開かれた状態となる。
【００４２】
また、中シェル１４のリング部４１の一方の端面には、周方向の３箇所において所定の長さで連続する円弧状のカム部４６（図５において多数の点にて表した部分）が設けられている。これらのカム部４６は、中シェル１４を上シェル１３に組み立てた状態において、上シェル１３の３箇所のカム溝２２にそれぞれ係合される。この中シェル１４が所定角度回転することにより、各カム部４６が３箇所のリフトアップ部２３にそれぞれ乗り上げられる。
【００４３】
この中シェル１４のリング部４１の他方の端面には、カム部４６と反対側に突出する円弧状の突条部４７が２箇所に設けられている。これらの突条部４７，４７は、一対のシャッタ部材１８ａ，１８ｂの半径方向外側への移動を制限するものである。更に、中シェル１４の平面部４０には、一対のシャッタ部材１８ａ，１８ｂを平面方向へ回動自在に支持するための一対の支持孔４９，４９が設けられている。この一対の支持孔４９，４９は、テーブル用開口部４２ａを中心にしてヘッド用開口部４２ｂ，４２ｂの一方の縁部分に点対称となるよう１個ずつ設けられている。
【００４４】
このような構成を有する中シェル１４は、図２２等に示すように、下シェル１５及び上シェル１３に対して所定の位置関係を持って組み立てられる。即ち、カートリッジ筐体１２の組立時、下シェル１５の開口部２５に中シェル１４の開口部４２を一致させるように重ね合わせる。このとき、カートリッジ筐体１２の開口窓３０には、中シェル１４の被操作部４３のうち、ギア部４１ａの一側に連続するように設けられた前滑り部４３ａが配置される。従って、開口窓３０の略中央部に初期動作用凹部４４ａが設置される。
【００４５】
この状態から、中シェル１４が所定角度回転することにより開口部２５に対して開口部４２が最大に傾いた状態となり、一対のシャッタ部材１８ａ，１８ｂによって開口部４２が完全に閉じられたとき、ギア部４１ａの他側に連続するように設けられた後滑り部４３ｂが開口窓３０まで移動する。これにより、開口窓３０の略中央部にセット位置用凹部４４ｂが設置される。
【００４６】
この中シェル１４に一対の支持孔４９，４９を介して取り付けられるシャッタ機構１８は、同一の形状及び大きさとされた２枚で一対のシャッタ部材１８ａ，１８ｂによって構成されている。一対のシャッタ部材１８ａ，１８ｂは、図７及び図８に示すような形状及び構造を有している。即ち、一対のシャッタ部材１８ａ，１８ｂは、略半円形をなす薄い板体によって形成されている。各シャッタ部材１８ａ，１８ｂの弦側辺の略中央部には、弦線と直交する方向に所定の長さで形成された段部５０が設けられており、この段部５０によってその両側に凸側接合部５０ａと凹側接合部５０ｂとが形成されている。
【００４７】
更に、シャッタ部材１８ａ，１８ｂの各接合部５０ａ，５０ｂには、弦の延在方向と直交する方向に庇状に突出する庇部５１ａ，５１ｂがそれぞれ設けられている。かくして、一対のシャッタ部材１８ａ，１８ｂにおいて、互いの凸側接合部５０ａの端面と凹側接合部５０ｂの端面とがそれぞれ対向され、凸側接合部５０ａの庇部５１ａが凹側接合部５０ｂの庇部５１ｂにそれぞれ重なり合わされる。このシャッタ部材１８ａ，１８ｂの弦側辺の凸側接合部５０ａ側の端部である軸取付部５０ｃには、庇部５１ａ，５１ｂ側に突出する軸部５２がそれぞれ設けられている。
【００４８】
この軸部５２を平面部４０の支持孔４９に嵌合させることにより、各シャッタ部材１８ａ，１８ｂが中シェル１４にそれぞれ回動自在に取り付けられる。この際、一対のシャッタ部材１８ａ，１８ｂは、互いの弦側辺を対向させて取り付けるようにする。その結果、図７に示すように、一対のシャッタ部材１８ａ，１８ｂをそれぞれ外側へ離反させるように回動させたとき、各シャッタ部材１８ａ，１８ｂは半円片４０ａ上に隠れるように載置される。一方、一対のシャッタ部材１８ａ，１８ｂをそれぞれ内側へ回動させて互いの接合部５０ａ，５０ｂをそれぞれ当接させることにより、図８に示すように、略円形とされた一対のシャッタ部材１８ａ，１８ｂによって開口部４２の中央部が遮蔽される。
【００４９】
更に、シャッタ部材１８ａ，１８ｂの凹側接合部５０ｂ側には、このシャッタ部材１８ａ，１８ｂを開閉動作させるための開閉溝５３がそれぞれ設けられている。各開閉溝５３は、それが設けられているシャッタ部材１８ａ，１８ｂの軸部５２を中心に放射方向へ延びるように形成されている。この開閉溝５３には、下シェル１５の操作凸部２７ａ，２７ｂが摺動可能に係合される。更に、各開閉溝５３の外側の端部には、周囲に切り込みを入れることによって形成された弾性片５４と、操作凸部２７ａ，２７ｂを逃がすための凹部５３ａとが設けられている。
【００５０】
また、シャッタ部材１８ａ，１８ｂの円弧側辺には閉鎖片５５が設けられている。この閉鎖片５５は、シャッタの閉じ状態において軸部５２が移動することによってその跡に形成された隙間を塞ぐもので、図９に示すシャッタ開放状態から図１０及び図１１に示すシャッタ閉鎖状態にように移動して隙間を塞ぎ、塵や埃等がカートリッジ筐体１２内に入り込むのを防止する。
【００５１】
上述したような構成を有する上シェル１３、中シェル１４、下シェル１５及びシャッタ部材１８ａ，１８ｂの材質としては、例えば、ＡＢＳ樹脂（アクリロニトリル・ブタジエン・スチレン樹脂）やＨＩＰＳ（高衝撃性ポリスチレン）等の合成樹脂が好適である。しかしながら、その他のエンジニアリングプラスチックを適用できることは勿論のこと、アルミニウム合金、ステンレス鋼その他の金属材料を用いることもできる。
【００５２】
尚、図示しないが、ディスクカートリッジ１０について、例えば、カートリッジ筐体１２の後部隅部等に、光ディスク等の記録媒体に記録された情報の誤消去を防止するための誤消去防止機構を設ける構成とすることもできる。このような誤消去防止機構としては、例えば、カートリッジ筐体１２の背面に開口する操作窓と、この操作窓を開閉可能に装着される誤消去防止片等によって構成することができる。
【００５３】
上述したような構成を有するディスクカートリッジ１０は、例えば、次のようにして簡単に組み立てることができる。このディスクカートリッジ１０の組立作業は、図１に示すように、上シェル１３を下に配置した状態で行われる。まず、上シェル１３の上側凹陥部１９ａ内に光ディスク１１を載置する。このとき、光ディスク１１は、センタハブ２８のある面を下にして上側凹陥部１９ａ内に入れ込む。
【００５４】
次に、光ディスク１１を覆うように中シェル１４の開口側を上側凹陥部１９ａに嵌合させる。これにより、中シェル１４と上シェル１３とで形成されるディスク収納室１６内に光ディスク１１が回転自在に収納される。このとき、中シェル１４の開口部４２が延在する方向を上シェル１３の前後方向に一致させ、被操作部４３の前滑り部４３ａを開口窓３０に臨ませる。
【００５５】
次に、シャッタ機構１８を中シェル１４に組み立てる。これは、一対のシャッタ部材１８ａ，１８ｂの互いの弦側を対向させ、この状態で軸部５２を平面部４０の支持孔４９にそれぞれ嵌合させる。そして、各シャッタ部材１８ａ，１８ｂを互いに離反させ、中シェル１４の各半円片４０ａ上にそれぞれ重なり合うようにする。
【００５６】
これと同時に、又は前後して、ロック収納部３３の支持軸３５にロック部材３２を取り付ける。この際、ロック部材３２のバネ片３８を上シェル１３の前縁部１３ａの内面に当接させ、このバネ片３８のバネ力によって入力部３７を開口穴３４からガイド溝３１内に突出させる。
【００５７】
次に、シャッタ機構１８を含む中シェル１４の上に下シェル１５を被せ、この下シェル１５を上シェル１３に重ね合わせる。このとき、下シェル１５の位置決め用凸部２４ａ，２４ｂを上シェル１３の同じく位置決め用凹部２１ａ，２１ｂに嵌め込む。これにより、下シェル１５が上シェル１３に対して自動的に位置決めされる。この際、一対のシャッタ部材１８ａ，１８ｂを上述した位置に配置しておくことにより、下シェル１５の下側凹陥部１９ｂ内に設けた一対の操作凸部２７ａ，２７ｂを一対の開閉溝５３にそれぞれ対向させることができる。そのため、一対の開閉溝５３の位置を気に掛けることなく、下シェル１５を上シェル１３に重ね合わせるだけで一対の操作凸部２７ａ，２７ｂを一対の開閉溝５３に係合させることができる。
【００５８】
その後、複数本の固定ネジを用いて下シェル１５を上シェル１３に締め付け固定する。これにより、図１２に示すような断面構成を有するディスクカートリッジ１０の組立作業が完了する。この場合、固定ネジ等の別部材からなる固着手段を用いることなく、例えば、接着剤等を用いて上シェル１３と下シェル１５の接合面を直に接合する構成とすることもできる。このように、本実施例に係るディスクカートリッジ１０によれば、使用される構成部品の数が少なく、しかも、極めて簡単に組立作業を行うことができる。
【００５９】
図１５〜図１７は、本願発明の第２の実施例を示すものである。この実施例に示すディスクカートリッジ８０は、光学ヘッドが１個のディスク記録再生装置に使用するようにした１ヘッドタイプのものである。このディスクカートリッジ８０は、図１５から明らかなように、図１等に示したディスクカートリッジ１０と異なるところは、中シェル８４の開口部８６及び下シェル８５の開口部８７の形状のみであり、その他の形状及び構成は同一である。そのため、図１と同一部分には同一符号を付してその説明を省略し、構成の異なる開口部８６，８７について説明する。
【００６０】
中シェル８４の開口部８６は、上述した中シェル１４の開口部４２から一方のヘッド用開口部４２ｂを廃止しただけのものである。即ち、開口部８６は、中央部に設けられた円形のテーブル用開口部８６ａと、このテーブル用開口部８６ａから半径方向外側に延在されて外周縁まで達する略長方形をなすヘッド用開口部８６ｂとから構成されている。また、下シェル８５の開口部８７も中シェル８４の開口部８６と同様に、上述した下シェル１５の開口部２５から一方のヘッド用開口部２５ｂを廃止しただけのものである。即ち、開口部８７は、中央部に設けられた円形のテーブル用開口部８７ａと、このテーブル用開口部８７ａから前側に延在されて前端縁まで達する略長方形をなすヘッド用開口部８６ｂとから構成されている。
【００６１】
このように、２ヘッド用の中シェル１４及び下シェル１５を１ヘッド用の中シェル８４及び下シェル８５に代えて使用することにより、カートリッジ筐体１２の剛性を高めると共に防塵性を向上させることができる。しかも、中シェル８４及び下シェル８５を１ヘッド用のものと２ヘッド用のものとで交換するだけで、ディスクカートリッジの製造を１ヘッド用と２ヘッド用に簡単に対応することができ、製造組立ラインの共通化が可能であって、需要者のニーズに適切に対応することができる。
【００６２】
上述したような構成を有するディスクカートリッジ１０，８０がディスク記録再生装置に装着される前には、図２及び図１６に示すような状態になっている。即ち、シャッタ機構１８の一対のシャッタ部材１８ａ，１８ｂは、中シェル１４，８４がロック部材３２によりロックされて初期位置に固定されているため、下シェル１５，８５の開口部２５，８７及び中シェル１４，８４の開口部４２，８６が完全に閉じた状態に保持される。更に、中シェル１４，８４の３箇所のカム部４６が、上シェル１３の３箇所のカム溝２２から飛び出してリフトアップ部２３に乗り上げた状態にある。そのため、一対のシャッタ部材１８ａ，１８ｂは、図１４Ａに示すように、中シェル１４と下シェル１５とによって両側から挟持された状態となっている。
【００６３】
その結果、一対のシャッタ部材１８ａ，１８ｂは、カムの昇降動作による挟持機構とロック部材３２のロック機構とによって二重にロックされた状態となっている。従って、シャッタ機構１８による下シェル１５，８５の開口部２５，８７及び中シェル１４，８４の開口部４２，８６の閉鎖状態を確実に保持することができ、振動等に起因してシャッタ機構１８が誤って開かれるのを確実に防止することができる。
【００６４】
このような状態のディスクカートリッジ１０，８０を、図１９及び図２１に示すように、ディスク記録再生装置６０に挿入することにより、このディスク記録再生装置６０に設けられているシャッタ開閉手段によってロック部材３２のロック状態が解除される。その後、このシャッタ開閉手段によってシャッタ機構１８が開放され、開口部２５，４２（又は８６，８７）が開かれる。このシャッタ機構１８の開閉動作は、後に詳細に説明する。
【００６５】
次に、ディスク記録再生装置６０について説明する。このディスク記録再生装置６０は、図１９及び図２１に示すように、中空の筐体からなる外装ケース６１と、この外装ケース６１内に収納された記録再生装置本体６２等を備えて構成されている。外装ケース６１は、上面及び前面に開口されたケース本体６３と、このケース本体６３の上面を閉じるように上部に着脱可能に取り付けられたケース蓋体６４と、ケース本体６３及びケース蓋体６４の前面を閉じるように前部に着脱可能に取り付けられた前部パネル６５等を備えている。
【００６６】
ケース本体６３の４箇所には、下方に突出する脚体６３ａが設けられている。これらの脚体６３ａによってディスク記録再生装置６０が支えられ、適宜位置に取り付けられる。前部パネル６５は、横長とされた板状部材からなり、その上部には横長のカートリッジ出入口６６が設けられている。カートリッジ出入口６６は、ディスクカートリッジ１０，８０の正面側の大きさと略同程度の大きさに形成されている。このカートリッジ出入口６６は、その内側に配置された開閉扉６７によって常時は閉じられている。
【００６７】
この開閉扉６７をディスクカートリッジ１０の前部で押圧し、図２１に示すように、所定の位置まで差し込む。これにより、図示しないローディング機構によってディスクカートリッジ１０，８０が自動的に取り込まれる。そして、ローディング機構で搬送されたディスクカートリッジ１０，８０は、ディスク記録再生装置６０内の所定位置で位置決めされて固定される。これと同時に又は前後して、ディスク記録再生装置６０に設けられているシャッタ開閉手段によってシャッタ機構１８が開放動作され、開口部２５，４２が開放される。
【００６８】
このシャッタ開閉手段の一具体例を示すラック棒７０を、図２０に示している。このラック棒７０は、中シェル１４，８４の被操作部４３のギア部４１ａに噛合されるラック部７１と、このラック部７１の先端側に設けられた初期動作用凸部７２と、ラック部７１の基端側に設けられたストッパ用凸部７３等を備えている。ラック棒７０のラック部７１は真っ直ぐな棒材の中途部において一面側に突出するように形成されており、ギア部４１ａと略同数の歯を有している。
【００６９】
このラック部７１の先端側に、ラック棒７０と同方向に延びる適宜な弾性を有する前弾性片７２ａが設けられている。この前弾性片７２ａの先端部に、ラック部７１の歯と同方向に突出する初期動作用凸部７２が設けられている。また、ラック部７１の基端側に、同じくラック棒７０と同方向に延びる適宜な弾性を有する後弾性片７３ａが設けられている。この後弾性片７３ａの先端部に、ラック部７１の歯と同方向に突出するストッパ用凸部７３が設けられている。このストッパ用凸部７３と初期動作用凸部７２とラック部７１とは、同一直線上に設定されている。上述した前弾性片７２ａによって前側の空振り部が形成され、後弾性片７３ａによって後側の空振り部が形成されている。
【００７０】
更に、初期動作用凸部７２は、断面形状は円弧状とされているが、その大きさ及び高さはラック部７１の歯と略同程度に形成されている。一方、ストッパ用凸部７３は、断面形状はラック部７１の歯と同様に山形とされているが、その大きさ及び高さはやや大きめに形成されている。そして、前後の弾性片７２ａ，７３ａに適度な大きさを弾性を付与することにより、初期動作用凸部７２及びストッパ用凸部７３に対して後退動作が弾性的に行われるようにしている。図２０において、符号７４は、ラック棒７０の補強を兼ねたガイド部である。このガイド部７４は、ディスクカートリッジ１０，８０のガイド溝３１に係合される。
【００７１】
このような構成を有するラック棒７０の作用による中シェル１４，８４の回動、及びシャッタ機構１８の開閉動作は、後に詳細に説明する。
【００７２】
図１２に示すように、ラック棒７０の作用によって開口部２５，４２（又は８６，８７）が開放されると、その開口部２５，４２（又は８６，８７）内にディスク回転駆動装置６８のターンテーブル６８ａと光学ピックアップ装置６９の光学ヘッド６９ａとが入り込む。そして、ターンテーブル６８ａが光ディスク１１のセンタ孔１１ａに係合し、ターンテーブル６８ａに内蔵されているマグネットによってセンタハブ２８を吸着して保持する。これと同時に又は前後して、光学ヘッド６９ａが光ディスク１１の情報記録領域２９ａに所定位置まで接近する。これにより、ディスク記録再生装置６０による光ディスク１１に対する情報信号の記録及び再生操作が可能となる。
【００７３】
このディスク記録再生装置６０の記録再生装置本体６２は、例えば、図１８に示すような構成要素を備えて構成されている。即ち、記録再生装置本体６２は、システムコントローラＳ１とメモリーコントローラＳ５とドライブコントローラＤ１との３つの制御装置を備えている。システムコントローラＳ１とメモリーコントローラＳ５とは直に接続されていて、その接続ラインには読取り専用記憶装置（ＲＯＭ）Ｓ２と読取り書込み記憶装置（ＲＡＭ）Ｓ３とが接続されている。更に、メモリーコントローラＳ５には、メモリーＳ４とＭＰＥＧ２（３Ｍ〜４０Ｍbps に対応した既存のテレビ放送、ＨＤＴＶ、広帯域ＩＳＤＮなどに応用される動画圧縮方式）用のエンコーダーＳ６及びデコーダーＳ７とが接続されている。更に、システムコントローラＳ１には、コントロールパネルＳ８とリモコン受信部Ｓ９とが接続されている。
【００７４】
また、ドライブコントローラＤ１にはＥＣＣＤ４が接続されていて、その接続ラインには記憶装置（ＲＯＭ）Ｄ２及び記憶装置（ＲＡＭ）Ｄ３と、サーボ回路Ｄ６及びアドレスデコーダーＤ７とが接続されている。更に、ドライブコントローラＤ１には記録時のエラーを判断する記録時エラー判断回路Ｄ８が接続されている。このドライブコントローラＤ１は、コマンド用インタフェースを介してシステムコントローラＳ１に接続されている。また、ＥＣＣＤ４、データ用インタフェースを介してメモリーコントローラＳ５に接続されていると共に、変復調回路Ｄ５にも接続されている。そして、変復調回路Ｄ５は、光学ピックアップ装置６９の光学ヘッド６９ａに接続されている。
【００７５】
また、サーボ回路Ｄ６は、ディスク回転駆動装置であるスピンドルモータ６８と、光学ピックアップ装置６９と、記録時エラー判断回路Ｄ８とに接続されている。更に、光学ピックアップ装置６９はアドレスデコーダーＤ７に接続され、このアドレスデコーダーＤ７は記録時エラー判断回路Ｄ８にも接続されている。
【００７６】
次に、上述したような構成を有するディスク記録再生装置６０のカートリッジ出入口６６からディスクカートリッジ８０を挿入する場合に、ラック棒７０によるシャッタ機構１８の開閉作用を、中シェル８４の位置の変化によるシャッタ機構１８の開閉状態との関係において説明する。
【００７７】
その１は、シャッタ機構１８が完全に閉じられたディスクカートリッジ８０を挿入する場合（Ａ）であり、これを図２２〜図２６に示す。その２は、シャッタ機構１８が不完全に閉じられたディスクカートリッジ８０を挿入する場合（Ｂ）であって、これを図２７〜図３１に示す。その３は、シャッタ機構１８が完全に開いたディスクカートリッジ８０を挿入する場合（Ｃ）であり、これを図３２〜図３６に示す。その４は、ディスクカートリッジ８０を排出する場合（Ｄ）であって、これを図３７〜図４１に示す。
【００７８】
まず、一対のシャッタ部材１８ａ，１８ｂが完全に閉じられたディスクカートリッジ８０を挿入する場合（Ａ）について説明する。図２１に示すように、ディスクカートリッジ８０をディスク記録再生装置６０のカートリッジ出入口６６に所定量挿入すると、ディスク記録再生装置６０に内蔵されたラック棒７０の初期動作用凸部７２が、ディスクカートリッジ８０の一方の側面部に設けたガイド溝３１内に入り込む。これにより、図示しないが、初期動作用凸部７２がガイド溝３１内に突出されているロック部材３２の入力部３７を、バネ片３８の付勢力に抗してロック収納部３３内に押し込める。これにより、ロック部材３２が支持軸３５を中心に回動してストッパ部３６がセット位置用凹部４４ｂから抜け出す。その結果、中シェル８４のロックが解除され、その回動が自由となる。
【００７９】
更に、図２２に示すように、カートリッジ挿入方向Ｆにディスクカートリッジ８０を挿入し、ラック棒７０に対してディスクカートリッジ８０が相対的に前進することにより、初期動作用凸部７２が中シェル１４の被操作部４３の前滑り部４３ａに当接し、この前滑り部４３ａを高い方に乗り上げる。このとき、前弾性片７２ａが適当な強さの弾性を有するため、前弾性片７２ａの撓みによって初期動作用凸部７２が後方に撓み移動し、前滑り部４３ａの最高部を乗り越える。その結果、図２３に示すように、初期動作用凸部７２が初期動作用凹部４４ａ内に入り込む。この凸部７２が凹部４４ａに係合することにより、ラック棒７０からの反力によって中シェル１４が、同図において反時計方向Ｎに回動される。
【００８０】
その結果、図２４に示すように、ラック棒７０との間の相対的な移動量に応じて中シェル１４が所定角度回転することにより、凸部７２が凹部４４ａから離れる前にラック部７１が被操作部４３のギア部４１ａに噛み合う。これにより、動力伝達経路が強固になり、ラック棒７０からの反力が確実に伝達されて、中シェル１４が所定角度回転する。そして、図２５に示すように、直線的に前進するラック部７１と曲線的に前進するギア部４１ａとの噛み合いが解除される前に、ストッパ用凸部７３が被操作部４３の後滑り部４３ｂに設けたセット位置用凹部４４ｂに係合される。そして、図２６に示すように、ストッパ用凸部７３がセット位置用凹部４４ｂにしっかりと噛み合ったところで、ラック部７１とギア部４１ａとの噛み合いが解除される。
【００８１】
これと同時に、ディスクカートリッジ８０の挿入動作が終了し、ディスクカートリッジ８０が所定位置にセットされる。このセット状態では、ストッパ用凸部７３がセット位置用凹部４４ｂにしっかりと噛み合っているため、中シェル１４が回動するおそれもない。
【００８２】
このとき、中シェル１４が回動を開始する初期状態では、図１３Ｃ及び図１４Ａに示すように、中シェル１４のカム部４６がリフトアップ部２３に乗り上げる。そのため、中シェル１４と上シェル１３との間で一対のシャッタ部材１８ａ，１８ｂを挟持した状態となることから、中シェル１４の回転動作には比較的大きな力が必要とされる。このカム部４６の乗り上げによる大きさ摩擦力に抗して中シェル１４を回転させることにより、図１３Ｂ及び図１４Ｂに示すように、カム部４６がリフトアップ部２３を通過してカム溝２２内に入り込む。その結果、カム部４６の摩擦力が消滅するため、これ以後の中シェル１４の回転動作は、極めて軽く且つスムースに行うことができようになる。
【００８３】
また、一対のシャッタ部材１８ａ，１８ｂの各軸部５２が、中シェル１４の回動によって同様に回動される一方、他端側に設けた開閉溝５３には下シェル１５の操作凸部２７ａ，２７ｂがそれぞれ摺動可能に係合されている。この一対の操作凸部２７ａ，２７ｂは下シェル１５に設けられていて、この操作凸部２７ａ，２７ｂは移動することがない。その一方、一対のシャッタ部材１８ａ，１８ｂの各開閉溝５３は、操作凸部２７ａ，２７ｂとの間に相対移動が可能なように軸部５２と操作凸部２７ｂ（又は２７ａ）とを結ぶ方向に延在されている。
【００８４】
そのため、シャッタ部材１８ａ，１８ｂの回動量に応じて操作凸部２７ｂ（又は２７ａ）が開閉溝５３内を軸部５２側に移動する。これにより、各シャッタ部材１８ａ，１８ｂにおいて軸部５２が対応する操作凸部２７ｂ（又は２７ａ）側に移動する。その結果、各シャッタ部材１８ａ，１８ｂが、図２２の状態から、図２３、図２４及び図２５の状態を経て、図２６に示すように、開口部８６，８７を挟んで左右に対向する位置に移動する。これにより、中シェル８４の開口部８６と下シェル８５の開口部８７とが完全に開放される。そのため、ディスク収納室１６内に収納されている光ディスク１１の一部が開口部８６，８７から露出される。
【００８５】
その結果、開口部８６，８７に対するターンテーブル６８ａ及び光学ヘッド６９ａの挿入が可能となる。そこで、ターンテーブル６８ａ等をディスクカートリッジ８０側へ移動するか又はディスクカートリッジ８０をターンテーブル６８ａ側へ移動することにより、ターンテーブル６８ａが中央部のテーブル用開口部８７ａ内に入り込み、光学ヘッド６９ａがサイドのヘッド用開口部８７ｂ内に入り込む。その結果、ターンテーブル６８ａに光ディスク１１が装着されてチャッキングされると共に、光学ヘッド６９ａが所定の間隔を保持して光ディスク１１の情報記録領域２９ａに対面される。これにより、ディスク記録再生装置６０による光ディスク１１の情報記録領域２９ａに対する情報信号の再生又は記録が可能となる。
【００８６】
そこで、記録再生装置本体６２を動作させ、スピンドルモータ６８の駆動によりターンテーブル６８ａを介して光ディスク１１を回転させると共に、光学ピックアップ装置６９の駆動により光学ヘッド６９ａからレーザ光を出射して情報記録領域２９ａに予め記録されている情報信号を読み出し、又はその情報記録領域２９ａに対して新たな情報信号を書き込むことができる。これにより、記録再生装置本体６２による情報信号の再生又は記録が実行される。
【００８７】
次に、一対のシャッタ部材１８ａ，１８ｂが不完全に閉じられたディスクカートリッジ８０を挿入する場合（Ｂ）について説明する。このような状態は、使用者が故意に中シェル８４を回転させる等の原因によって生じるもので、例えば、図２７に示すように、中シェル８４の回転変位によってシャッタ機構１８が少し開かれた状態にある。このとき、開口窓３０には、初期動作用凹部４４ａの他に、ギア部４１ａの一部が露出されている。
【００８８】
このディスクカートリッジ８０をディスク記録再生装置６０のカートリッジ出入口６６に所定量挿入すると、ラック棒７０の初期動作用凸部７２が、ディスクカートリッジ８０のガイド溝３１内に入り込み、ロック部材３２の入力部３７をロック収納部３３内に押し込めた後、図２７の状態から図２８の状態に変化して、被操作部４３のギア部４１ａに当接する。その結果、初期動作用凸部７２が被操作部４３のギア部４１ａに係合され、この係合状態によって中シェル８４が反時計方向Ｎに回動される。
【００８９】
その結果、図２９に示すように、ラック棒７０との間の相対的な移動量に応じて中シェル１４が所定角度回転することにより、凸部７２がギア部４１ａから離れる前にラック部７１がギア部４１ａに噛み合う。これにより、ラック棒７０からの反力がラック部７１からギア部４１ａに確実に伝達され、中シェル８４が所定角度回転する。そして、図３０に示すように、ラック部７１からギア部４１ａが離れた後、中シェル１４とラック棒７０との間に滑りが生じ、ストッパ用凸部７３が被操作部４３の後滑り部４３ｂに設けたセット位置用凹部４４ｂに係合される。
【００９０】
その後、図３１に示すように、ストッパ用凸部７３がセット位置用凹部４４ｂにしっかりと噛み合ったところで、ディスクカートリッジ８０の挿入動作が終了し、ディスクカートリッジ８０が所定位置にセットされる。このセット状態では、中シェル８４の開口部８６と下シェル８５の開口部８７とが完全に開放され、ディスク収納室１６内に収納されている光ディスク１１の一部が開口部８６，８７から露出される。従って、シャッタ機構１８が不完全に閉じられたディスクカートリッジ８０を挿入した場合においても、何ら支障を生ずることなく、そのディスクカートリッジ８０を使用して、情報信号の記録及び再生に寄与することができる。
【００９１】
次に、一対のシャッタ部材１８ａ，１８ｂが完全に開いたディスクカートリッジ８０を挿入する場合（Ｃ）について説明する。このような状態は、使用者が故意に中シェル８４を回転させる等の原因によって生じるもので、図３２に示すように、中シェル８４が最大に回転変位してシャッタ機構１８が完全に開かれた状態にある。このとき、開口窓３０には、後滑り部４３ｂが露出されている。
【００９２】
このディスクカートリッジ８０をディスク記録再生装置６０のカートリッジ出入口６６に所定量挿入すると、ラック棒７０の初期動作用凸部７２が、ディスクカートリッジ８０のガイド溝３１内に入り込み、ロック部材３２の入力部３７をロック収納部３３内に押し込めた後、図３２の状態から図３３の状態に変化して、初期動作用凸部７２が後滑り部４３ｂのセット位置用凹部４４ｂの上方を通過する。更に、図３４の状態から図３５の状態に変化して、ラック部７１もセット位置用凹部４４ｂの上方を通過する。
【００９３】
その後、ストッパ用凸部７３が後滑り部４３ｂに当接する。このとき、後弾性片７３ａが適当な強さの弾性を有するため、後弾性片７３ａの撓みによってストッパ用凸部７３が後方に撓み移動し、後滑り部４３ｂの最高部を乗り越える。そして、ストッパ用凸部７３がセット位置用凹部４４ｂに係合される。その後、図３６に示すように、ストッパ用凸部７３がセット位置用凹部４４ｂにしっかりと噛み合ったところで、ディスクカートリッジ８０の挿入動作が終了し、ディスクカートリッジ８０が所定位置にセットされる。
【００９４】
このセット状態では、中シェル８４の開口部８６と下シェル８５の開口部８７とが完全に開放され、ディスク収納室１６内に収納されている光ディスク１１の一部が開口部８６，８７から露出される。従って、シャッタ機構１８が完全に開いた状態のディスクカートリッジ８０を挿入した場合においても、何ら支障を生ずることなく、そのディスクカートリッジ８０を使用して、情報信号の記録及び再生を実行することができる。
【００９５】
最後に、ディスクカートリッジ８０を排出する場合（Ｄ）について説明する。上述したようにして行われる情報信号の再生又は記録の後、例えば、ディスク記録再生装置６０に設けられるカートリッジ排出ボタン（図示せず）を操作することにより、ローディング機構の作動を介してディスクカートリッジ８０がディスク記録再生装置６０から排出される。即ち、ローディング機構の排出動作によってディスクカートリッジ８０がカートリッジ排出方向Ｒに移動すると、相対的にラック棒７０が後退動作される。
【００９６】
このラック棒７０に対するディスクカートリッジ８０の後退動作により、図３７に示すように、セット位置用凹部４４ｂに係合されているストッパ用凸部７３によって中シェル８４が時計方向Ｍに回動される。そして、図３８に示すように、凸部７３が凹部４４ｂから離れる前にラック部７１がギア部４１ａに噛合し、この噛み合いによって中シェル８４が引き続き回動される。
【００９７】
このとき、ストッパ用凸部７３の先端が開口窓３０内に入り込んでいるため、その凸部７３が開口窓３０の縁に当接するが、その凸部７３と一体の後弾性片７３ａが適度な大きさの弾性を有するため、この後弾性片７３ａの撓み変形によって凸部７３が外側へ変位し、開口窓３０の縁を乗り越えてガイド溝３１に乗り上げる。そのため、凸部７３の高さがラック部７１の歯の高さより高いにも係わらず、凹部４４ｂから離れた凸部７３が開口窓３０から容易に抜け出すことができ、従って、その後の中シェル８４の回動を確保することができる。
【００９８】
この中シェル８４が時計方向Ｍに所定角度回転すると、図３９に示すように、開口窓３０内において、ラック部７１がギア部４１ａから離れる前に初期動作用凸部７２が初期動作用凹部４４ａに係合される。この凸部７２と凹部４４ａとの係合によって中シェル８４の回動が継続され、図４０に示すように、中シェル８４が最初の位置まで回動される。中シェル８４が最初の位置まで戻されると、被操作部４３の後滑り部４３ｂの端面が下シェル８５の停止部４５ｃに当接されるため、以後の中シェル８４の回動が阻止される。
【００９９】
これに対して、ディスクカートリッジ８０とラック棒７０との間には相対移動が引き続き生じているため、凹部４４ａに係合されている凸部７２の移動力によって中シェル８４には回転力が付与される。この回転力の反力が凸部７２に付与され、この反力を受けて前弾性片７２ａが撓み変形し、凸部７２が外側へ移動して凹部４４ａとの係合が解除される。その後、ラック棒７０の凸部７２が開口穴３４を通過することにより、ロック部材３２の入力部３７が開口穴３４からガイド溝３１内に突出される。これと同時に、ストッパ部３６が内側に移動して中シェル８４の被操作部４３ｂのセット位置用凹部４４ｂに噛み合わされる。その結果、ロック部材３２によって中シェル８４がロックされ、その回動が停止される。
【０１００】
この際、一対のシャッタ部材１８ａ，１８ｂは、上述した挿入時とは逆の動作を実行し、開口部８６，８７を完全に閉じる。即ち、図３７に示す一対のシャッタ部材１８ａ，１８ｂが完全に開いた状態から、中シェル８４及び一対のシャッタ部材１８ａ，１８ｂが時計方向Ｍに回動し、図３８、図３９及び図４０の状態を経て、図４１の状態に変化する。この図３８〜図４１の状態では、中シェル８４のカム部４６はカム溝２２内にあるため、中シェル８４を軽い力で回転させることができる。
【０１０１】
次に、中シェル８４が図３９の状態から図４０の状態に変化する際に、カム部４６がリフトアップ部２３に当接した後、このリフトアップ部２３上に乗り上げるため、これ以後、中シェル８４の回動には上述した摩擦力が加えられる。そして、図４０の閉じ状態に至る直前において、操作凸部２７ｂ（又は２７ａ）が開閉溝５３を最外側部まで移動し、弾性片５４に接触してこれを押圧する。これにより、操作凸部２７ｂ（又は２７ａ）の押圧力によって弾性片５４にバネ力が発生する。この弾性片５４のバネ力によって中央の段部５０には、他方のシャッタ部材１８ａ（又は１８ｂ）に作用する圧接力が発生する。
【０１０２】
この圧接力は、一対のシャッタ部材１８ａ，１８ｂの両者に発生するため、互いの圧接力によって一対のシャッタ部材１８ａ，１８ｂの密閉性が更に高められる。従って、一対のシャッタ部材１８ａ，１８ｂの接合部における防塵性を向上させることができ、その結果、チリや埃等がディスク収納室１６内に侵入するのをより効果的に防止することができる。このようにして、一対のシャッタ部材１８ａ，１８ｂによって開口部８６，８７の全体が完全に閉じられ、その閉じ状態でディスクカートリッジ８０が排出される。これにより、ディスクカートリッジ８０の排出動作が完了する。
【０１０３】
以上説明したが、本発明は上述した実施の例に限定されるものではなく、例えば、上記実施例においては、情報記録媒体として光ディスクを用いた例について説明したが、光磁気ディスク、フロッピーディスク等の磁気ディスク、その他各種のディスク状記録媒体に適用することができる。更に、上記実施例では、情報記録再生装置として記録再生兼用のディスク記録再生装置に適用した例について説明したが、記録又は再生の一方のみが可能なディスク記録装置又はディスク再生装置に適用できることは勿論である。
【０１０４】
また、上記実施例においては、カートリッジ筐体１２の中シェル１４，８４及び下シェル１５，８５に開口部４２，２５及び８６，８７を設けた例について説明したが、例えば、上シェル１３にも開口部を設け、カートリッジ筐体１２の上下から同時にアクセスできる構造とすることもできる。更に、中シェルと下シェルとでディスク収納室を形成し、このディスク収納室内にディスク状記録媒体を収納すると共に上シェルに開口部を設ける構成とすることもできる。このように、本発明は、その趣旨を逸脱しない範囲で種々変更できるものである。
【０１０５】
【発明の効果】
以上説明したように、本出願の請求項１記載のディスクカートリッジによれば、ディスク収納室を有するカートリッジ筐体とディスク状記録媒体と一対のシャッタ部材とを備え、中シェルと下シェル又は上シェルとの相対回転によって一対のシャッタ部材に開口部の開閉動作を行わせるようにしたディスクカートリッジであって、上シェル及び下シェルの少なくとも一方に設けられた操作窓に中シェルの外周面に設けた被操作部を臨ませ、この被操作部の外側にシャッタ開閉手段を通過させる構成としたため、シャッタ開閉手段を被操作部に係合させて中シェルを所定位置まで回転させることができる。そのため、一対のシャッタ部材とカートリッジ筐体間の間隔を小さくして微小なゴミや埃等がディスク収納室内に入り難くすることができ、カートリッジ筐体の防塵効果を高めることができると共に、一対のシャッタ部材による開口部の開閉状態のいかんに関係なく、記録再生装置に装着する時には開口部が確実に開放され、また、記録再生装置から排出する時には開口部が確実に閉鎖された状態で排出されるディスクカートリッジを提供することができる。
【０１０６】
本出願の請求項２記載のディスクカートリッジによれば、２枚の同一形状の板体を開口部を閉鎖するように配置し、その一側部を中シェルに回転自在に支持し且つ他側部を下シェル又は上シェルに摺動可能に係合して、中シェルと下シェル又は上シェルとの相対回転によって一対のシャッタ部材を開閉動作させる構成としたため、シャッタ部材の面積を小さくしつつ広い範囲の開口部を開閉することができ、開口部の開閉効率を高めながらディスクカートリッジ全体の小型化、薄型化を図ることができると共に、一対のシャッタ部材をスムース且つ確実に開閉動作させることができるという効果が得られる。
【０１０７】
本出願の請求項３記載のディスクカートリッジによれば、シャッタ開閉手段がラック部と初期動作用凸部とを有し、中シェルの被操作部がギア部と初期動作用凹部とを有する構成としたため、シャッタ開閉手段を操作窓の外側に通過させると、初期動作用凸部が初期動作用凹部に係合して中シェルが一定角度回転した後、ラック部がギア部に噛合して中シェルが所定位置まで回転される。そのため、中シェルを所定位置まで確実に回転動作させることができると共に、その中シェルの回転により一対のシャッタ部材がスムースに開閉動作され、開口部を確実に開閉させることができるという効果が得られる。
【０１０８】
本出願の請求項４記載のディスクカートリッジによれば、シャッタ開閉手段の初期動作用凸部とラック部との間に所定の間隔を設け、被操作部に滑り部を設ける構成としたため、ラック部をギア部と同期させて中シェルを所定位置まで確実に回転動作させることができ、一対のシャッタ部材の開閉動作を確実なものとして開口部の開閉操作を確実に行うことができるという効果が得られる。
【０１０９】
本出願の請求項５記載のディスクカートリッジによれば、シャッタ開閉手段のラック部の後側にストッパ用凸部を設けると共に、被操作部のギア部の円周方向他側にセット位置用凹部を設け、ストッパ用凸部の高さをラック部の歯の高さよりも高くし、このストッパ用凸部がセット位置用凹部に係合する構成としたため、中シェルを所定位置においてロックさせたように固定することができ、振動等によって中シェルが回転させるのを確実に防止することができるという効果が得られる。
【図面の簡単な説明】
【図１】本発明のディスクカートリッジの第１の実施例を示すもので、下面側から見た状態の分解斜視図である。
【図２】図１に示すディスクカートリッジを下面側から見たもので、シャッタ機構を閉じて開口部を閉じた状態を示す斜視図である。
【図３】図１に示すディスクカートリッジを下面側から見たもので、シャッタ機構を開いて開口部を開いた状態を示す斜視図である。
【図４】図１に示すディスクカートリッジの上シェルの下面を示す平面図である。
【図５】図１に示すディスクカートリッジの中シェルの下面を示す平面図である。
【図６】図１に示すディスクカートリッジの下シェルの上面を示す平面図である。
【図７】図１に示すディスクカートリッジの中シェルに取り付けられた一対のシャッタ部材を開いて開口部を開けた状態を示す斜視図である。
【図８】図１に示すディスクカートリッジの中シェルに取り付けられた一対のシャッタ部材を閉じて開口部を閉じた状態を示す斜視図である。
【図９】図１に示すディスクカートリッジの下シェルにシャッタ機構を配し、その一対のシャッタ部材を開いて開口部を開けた状態を示す斜視図である。
【図１０】図１に示すディスクカートリッジの下シェルにシャッタ機構を配し、その一対のシャッタ部材を閉じて開口部を閉じた状態を示す斜視図である。
【図１１】同１０を上方から見た平面図である。
【図１２】図１に示すディスクカートリッジの中央部を縦方向に断面したもので、ターンテーブルとの関係を示す説明図である。
【図１３】図１に示すディスクカートリッジの開閉時における上シェルに対する中シェルの昇降動作を説明するもので、同図Ａは分解斜視図、同図Ｂは降下時の斜視図、同図Ｃは上昇時の斜視図である。
【図１４】図１３に示すディスクカートリッジの開閉時における中シェルの昇降状態を説明するもので、同図Ａは中シェルのカム部が上シェルのリフトアップ部に乗り上げた状態を示す断面図、同図Ｂは中シェルのカム部が上シェルのカム溝内に入った状態を示す断面図である。
【図１５】本発明のディスクカートリッジの第２の実施例を示すもので、下面側から見た状態の分解斜視図である。
【図１６】図１５に示すディスクカートリッジを下面側から見たもので、シャッタ機構を閉じて開口部を閉じた状態を示す斜視図である。
【図１７】図１５に示すディスクカートリッジを下面側から見たもので、シャッタ機構を開いて開口部を開いた状態を示す斜視図である。
【図１８】本発明のディスクカートリッジが使用されるディスク記録再生装置の回路構成の一実施例を示すブロック説明図である。
【図１９】本発明のディスクカートリッジが使用されるディスク記録再生装置に図１又は図１５に示すディスクカートリッジを挿入する前の状態を示す斜視図である。
【図２０】図１９に示すディスク記録再生装置のシャッタ開閉手段の一実施例を示す斜視図である。
【図２１】本発明のディスクカートリッジが使用されるディスク記録再生装置に図１又は図１５に示すディスクカートリッジを挿入している状態を示す斜視図である。
【図２２】図１５に示すディスクカートリッジのシャッタ機構が完全に閉じた状態におけるシャッタ開閉手段の作用を示すもので、初期動作用凸部が開口窓に至る前の状態を示す説明図である。
【図２３】図１５に示すディスクカートリッジのシャッタ機構が完全に閉じた状態におけるシャッタ開閉手段の作用を示すもので、初期動作用凸部が初期動作用凹部に係合した状態を示す説明図である。
【図２４】図１５に示すディスクカートリッジのシャッタ機構が完全に閉じた状態におけるシャッタ開閉手段の作用を示すもので、ラック部とギア部とが噛み合う初期状態を示す説明図である。
【図２５】図１５に示すディスクカートリッジのシャッタ機構が完全に閉じた状態におけるシャッタ開閉手段の作用を示すもので、ラック部とギア部とが噛み合う終期状態を示す説明図である。
【図２６】図１５に示すディスクカートリッジのシャッタ機構が完全に閉じた状態におけるシャッタ開閉手段の作用を示すもので、ストッパ用凸部がセット位置用凹部に係合した状態を示す説明図である。
【図２７】図１５に示すディスクカートリッジのシャッタ機構が不完全に閉じた状態におけるシャッタ開閉手段の作用を示すもので、初期動作用凸部が開口窓に至る前の状態を示す説明図である。
【図２８】図１５に示すディスクカートリッジのシャッタ機構が完全に閉じた状態におけるシャッタ開閉手段の作用を示すもので、初期動作用凸部がギア部に係合した状態を示す説明図である。
【図２９】図１５に示すディスクカートリッジのシャッタ機構が完全に閉じた状態におけるシャッタ開閉手段の作用を示すもので、ラック部とギア部との噛み合い状態を示す説明図である。
【図３０】図１５に示すディスクカートリッジのシャッタ機構が完全に閉じた状態におけるシャッタ開閉手段の作用を示すもので、ストッパ用凸部がセット位置用凹部に係合する前の状態を示す説明図である。
【図３１】図１５に示すディスクカートリッジのシャッタ機構が完全に閉じた状態におけるシャッタ開閉手段の作用を示すもので、ストッパ用凸部がセット位置用凹部に係合した状態を示す説明図である。
【図３２】図１５に示すディスクカートリッジのシャッタ機構が完全に開いた状態におけるシャッタ開閉手段の作用を示すもので、初期動作用凸部が開口窓に至る前の状態を示す説明図である。
【図３３】図１５に示すディスクカートリッジのシャッタ機構が完全に開いた状態におけるシャッタ開閉手段の作用を示すもので、初期動作用凸部がセット位置用凹部を通過する状態を示す説明図である。
【図３４】図１５に示すディスクカートリッジのシャッタ機構が完全に開いた状態におけるシャッタ開閉手段の作用を示すもので、ラック部がセット位置用凹部を通過する状態を示す説明図である。
【図３５】図１５に示すディスクカートリッジのシャッタ機構が完全に開いた状態におけるシャッタ開閉手段の作用を示すもので、ストッパ用凸部がセット位置用凹部に係合する前の状態を示す説明図である。
【図３６】図１５に示すディスクカートリッジのシャッタ機構が完全に開いた状態におけるシャッタ開閉手段の作用を示すもので、ストッパ用凸部がセット位置用凹部に係合した状態を示す説明図である。
【図３７】図１５に示すディスクカートリッジの排出時におけるシャッタ開閉手段の作用を示すもので、ストッパ用凸部がセット位置用凹部に係合した状態を示す説明図である。
【図３８】図１５に示すディスクカートリッジの排出時におけるシャッタ開閉手段の作用を示すもので、ラック部とギア部とが噛み合う初期状態を示す説明図である。
【図３９】図１５に示すディスクカートリッジの排出時におけるシャッタ開閉手段の作用を示すもので、ラック部とギア部とが噛み合う終期状態を示す説明図である。
【図４０】図１５に示すディスクカートリッジの排出時におけるシャッタ開閉手段の作用を示すもので、初期動作用凸部が初期動作用凹部に係合した状態を示す説明図である。
【図４１】図１５に示すディスクカートリッジの排出時におけるシャッタ開閉手段の作用を示すもので、初期動作用凸部が初期動作用凹部から外れた状態を示す説明図である。
【図４２】従来のディスクカートリッジを示す斜視図である。
【符号の説明】
１０，８０  ディスクカートリッジ、  １１  光ディスク（ディスク状記録媒体）、  １２  カートリッジ筐体、  １３  上シェル、  １４，８４  中シェル、  １５，８５  下シェル、  １６  ディスク収納室、  １８  シャッタ機構、１８ａ，１８ｂ  シャッタ部材、  ２５，４２，８６，８７  開口部、  ２７ａ，２７ｂ  操作凸部、  ３０  開口窓、  ３１  ガイド溝、  ３２  ロック部材、  ３６  ストッパ部、  ３７  入力部、  ４１ａ  ギア部、  ４３  被操作部、  ４４ａ，４４ｂ  凹部、  ６０  ディスク記録再生装置、  ６８  ディスク回転駆動装置、  ６９  光学ピックアップ装置、  ７０  ラック棒（シャッタ開閉手段）、  ７１  ラック部、  ７２，７３  凸部、  ７２ａ，７３ａ  弾性片
【図１】
0004089140.tif 000002
【図２】
0004089140.tif 000003
【図３】
0004089140.tif 000004
【図４】
0004089140.tif 000005
【図５】
0004089140.tif 000006
【図６】
0004089140.tif 000007
【図７】
0004089140.tif 000008
【図８】
0004089140.tif 000009
【図９】
0004089140.tif 000010
【図１０】
0004089140.tif 000011
【図１１】
0004089140.tif 000012
【図１２】
0004089140.tif 000013
【図１３】
0004089140.tif 000014
【図１４】
0004089140.tif 000015
【図１５】
0004089140.tif 000016
【図１６】
0004089140.tif 000017
【図１７】
0004089140.tif 000018
【図１８】
0004089140.tif 000019
【図１９】
0004089140.tif 000020
【図２０】
0004089140.tif 000021
【図２１】
0004089140.tif 000022
【図２２】
0004089140.tif 000023
【図２３】
0004089140.tif 000024
【図２４】
0004089140.tif 000025
【図２５】
0004089140.tif 000026
【図２６】
0004089140.tif 000027
【図２７】
0004089140.tif 000028
【図２８】
0004089140.tif 000029
【図２９】
0004089140.tif 000030
【図３０】
0004089140.tif 000031
【図３１】
0004089140.tif 000032
【図３２】
0004089140.tif 000033
【図３３】
0004089140.tif 000034
【図３４】
0004089140.tif 000035
【図３５】
0004089140.tif 000036
【図３６】
0004089140.tif 000037
【図３７】
0004089140.tif 000038
【図３８】
0004089140.tif 000039
【図３９】
0004089140.tif 000040
【図４０】
0004089140.tif 000041
【図４１】
0004089140.tif 000042
【図４２】
0004089140.tif 000043